(57)【要約】【課題】建物の各フロアに設置された熱交換形換気装置を用いて、フロア間の温度と湿度の差を低減する換気システムを提供する。【解決手段】換気システム１は、室外の空気を給気する給気送風部と、室内の空気を排気する排気送風部と、室内へ給気される空気と室外へ排気される空気との間で熱交換を行う熱交換部を備える熱交換形換気装置２を複数備える。複数の熱交換形換気装置２は、第一フロア５ａの換気を行う熱交換形換気装置２ａと、第二フロア５ｂの換気を行う熱交換形換気装置２ｂを含む。換気システム１に備わる制御部は、第一フロア５ａと第二フロア５ｂとの間の温度差及び湿度差のうち少なくとも一方が基準値を超えた場合に、熱交換形換気装置２ｂの排気量に対する給気量の割合を増加させるとともに、熱交換形換気装置２ａの給気量に対する排気量の割合を増加させる。【選択図】図１
2020193797.tif 000002
【特許請求の範囲】
【請求項１】
第一フロアの給排気を行う第一換気装置と、
前記第一フロアとは異なる第二フロアの給排気を行う第二換気装置と、
前記第一換気装置の給排気運転と前記第二換気装置の給排気運転とを制御する制御部と、を備え、
前記制御部は、前記第一フロアと前記第二フロアとの間の温度差及び湿度差のうち少なくとも一方が所定の基準値を超えた場合に、前記第一換気装置と前記第二換気装置のうちいずれか一方の装置の排気量に対する給気量の割合を増加させるとともに前記第一換気装置と前記第二換気装置のうちの他方の装置の給気量に対する排気量の割合を増加させることを特徴とする換気システム。
【請求項２】
前記制御部は、前記一方の装置の排気量に対する給気量の増加の割合と、前記他方の装置の給気量に対する排気量の増加の割合が等しくなるように前記第一換気装置と前記第二換気装置の運転を制御することを特徴とする請求項１記載の換気システム。
【請求項３】
前記制御部は、前記温度差及び前記湿度差が前記基準値を超えていない場合に、前記第一換気装置の前記給排気運転と前記第二換気装置の前記給排気運転とを独立して制御することを特徴とする請求項１記載の換気システム。
【請求項４】
前記制御部は、前記一方の装置に設けられ、
前記他方の装置の前記給排気運転は、前記一方の装置からの制御信号に基づいて制御されることを特徴とする請求項１記載の換気システム。
【請求項５】
前記第一フロアと前記第二フロアとを連通する空間に設けられた送風機をさらに備え、
前記制御部は、前記基準値を超えた場合に、前記第一換気装置および前記第二換気装置の給排気運転に連動させて、前記送風機の送風運転を制御することを特徴とする請求項１記載の換気システム。
【請求項６】
前記制御部は、加圧されたフロアから減圧されたフロアに向けて送風を行うよう前記送風機を制御する請求項５記載の換気システム。
【請求項７】
前記第一換気装置及び前記第二換気装置は、給気風路と排気風路との間で熱交換を行う熱交換素子を備えた請求項１記載の換気システム。
【請求項８】
前記制御部は、温度と湿度の情報に基づき快適指標の目標値を満たす目標風速を算出する目標風速算出部を備え、
前記温度差及び前記湿度差が前記基準値を超えていない場合に、前記第一フロアと前記第二フロアとの間の温度平均値と前記第一フロアと前記第二フロアとの間の湿度平均値とに基づき、前記快適指標の前記目標値を満たす前記目標風速となるように前記送風機の運転を制御することを特徴とする請求項５に記載の換気システム。
【請求項９】
風速を測定する風速測定部を少なくともひとつ備え、
前記制御部は、測定した風速の平均値と前記目標風速との間の風速差が所定の基準値を超えた場合に、前記目標風速を満たすように前記送風機の運転を制御することを特徴とする請求項８に記載の換気システム。
【請求項１０】
前記制御部は、前記送風機の運転が開始されてから所定時間が経過したあとに風速の平均値の計算を行うことを特徴とする請求項９に記載の換気システム。
【請求項１１】
前記快適指標として予測平均温冷感申告（ＰＭＶ）を用いることを特徴とする請求項８記載の換気システム。
【発明の詳細な説明】
【技術分野】
【０００１】
本発明は、建物の換気システムに関し、特に複数の換気装置を配置した換気システムに関するものである。
【背景技術】
【０００２】
住宅建物の換気システムとしては、室外の空気を外気給気口から導入し、内蔵する熱交換素子を経て室内に供給する熱交換形換気装置を用いた換気システムが知られている（例えば、特許文献１参照）。この熱交換形換気装置は、給気と排気とを同時に行い、給気流（室外の空気）と排気流（室内の空気）との間で熱交換を行いながら換気を行う。こうした従来の換気システムでは、熱交換形換気装置の換気性能にある程度の限界があるため、住宅建物の床面積が大きい場合には、例えば複数の階層を有する住宅建物の各フロアに熱交換形換気装置を設置して、フロアごとに換気を行っている。
【先行技術文献】
【特許文献】
【０００３】
【特許文献１】特開２０１３−１９５００８号公報
【発明の概要】
【発明が解決しようとする課題】
【０００４】
しかしながら、従来の換気システムでは、熱交換形換気装置が設置されたフロアにおける室内外の温度及び湿度（給気流および排気流の温度及び湿度）を検出して換気制御を行っている。このため、室内での人の生活状況によって他のフロアとの間で温度及び湿度の差が生じても、各フロアの温度及び湿度の情報に基づいて換気制御を実行するだけであり、フロア間の温度及び湿度の差が解消されにくいということが懸念される。
【０００５】
そこで本発明は、上記従来の課題を解決するものであり、建物の各フロアに設置された換気装置を用いて、フロア間の温度及び湿度の差を低減することが可能な換気システムを提供することを目的とする。
【課題を解決するための手段】
【０００６】
この目的を達成するために、本発明の換気システムは、第一フロアの給排気を行う第一換気装置と、前記第一フロアとは異なる第二フロアの給排気を行う第二換気装置と、前記第一換気装置の給排気運転と前記第二換気装置の給排気運転とを制御する制御部と、を備え、前記制御部は、前記第一フロアと前記第二フロアとの間の温度差及び湿度差のうち少なくとも一方が所定の基準値を超えた場合に、前記第一換気装置と前記第二換気装置のうちいずれか一方の装置の排気量に対する給気量の割合を増加させるとともに前記第一換気装置と前記第二換気装置のうちの他方の装置の給気量に対する排気量の割合を増加させたものであり、これにより所期の目的を達成する。
【発明の効果】
【０００７】
本発明によれば、建物の各フロアに設置された換気装置を用いて、フロア間の温度及び湿度の差を低減することが可能な換気システムを提供することができる。
【図面の簡単な説明】
【０００８】
【図１】本発明の実施の形態１に係る換気システムを備える住宅の模式図
【図２】換気システムを構成する熱交換形換気装置の斜視図
【図３】換気システムを構成する熱交換形換気装置の断面図
【図４】熱交換形換気装置における制御部の構成を示すブロック図
【図５】図５は、熱交換形換気装置における換気動作手順を示すフローチャート
【図６】本発明の実施の形態２に係る換気システムを備える住宅の模式図
【図７】本発明の実施の形態３に係る換気システムを備える住宅の模式図
【図８】本発明の実施の形態３に係る熱交換形換気装置における制御部の構成を示すブロック図
【図９】本発明の実施の形態３に係る天井扇連動動作における動作手順を示すフローチャート
【発明を実施するための形態】
【０００９】
第一フロアの給排気を行う第一換気装置と、前記第一フロアとは異なる第二フロアの給排気を行う第二換気装置と、前記第一換気装置の給排気運転と前記第二換気装置の給排気運転とを制御する制御部と、を備え、前記制御部は、前記第一フロアと前記第二フロアとの間の温度差及び湿度差のうち少なくとも一方が所定の基準値を超えた場合に、前記第一換気装置と前記第二換気装置のうちいずれか一方の装置の排気量に対する給気量の割合を増加させるとともに前記第一換気装置と前記第二換気装置のうちの他方の装置の給気量に対する排気量の割合を増加させることを特徴とする。こうした構成によれば、第一換気装置（または第二換気装置）の排気量に対する給気量の割合を増加させることにより第一フロア（または第二フロア）が加圧状態となるとともに、第二換気装置（または第一換気装置）の給気量に対する排気量の割合を増加させることにより第二フロア（または第一フロア）が減圧状態となる。このため、第一フロアと第二フロアとの間の温度差及び湿度差のうち少なくとも一方が基準値を超えた場合には、加圧状態の第一フロア（または第二フロア）から減圧状態の第二フロア（または第一フロア）への空気の流れを生じさせることができる。そして、第二換気装置（または第一換気装置）では、流れ込んできた空気を含む室内の空気の温度及び湿度を反映した換気制御を行うことになる。つまり、建物の各フロアに設置された換気装置を用いて、フロア間の温度及び湿度の差を低減することが可能な換気システムとすることができる。
【００１０】
また、前記制御部は、前記一方の装置の排気量に対する給気量の増加の割合と、前記他方の装置の給気量に対する排気量の増加の割合が等しくなるように前記第一換気装置と前記第二換気装置の運転を制御してもよい。このようにすることで、一方の装置の換気量と他方の装置の換気量とを合わせた全換気量を一定とした状態（必要換気量を確保した状態）で、フロア間の温度および湿度の差を低減することができる。
【００１１】
また、前記制御部は、前記温度差及び前記湿度差が前記基準値を超えていない場合に、前記第一換気装置の前記給排気運転と前記第二換気装置の前記給排気運転とを独立して制御するようにしてもよい。このようにすることで、各換気装置によってフロアごとの換気を効率よく行うことができる。
【００１２】
また、前記制御部は、前記一方の装置に設けられ、前記他方の装置の前記給排気運転は、前記一方の装置からの制御信号に基づいて制御されることが好ましい。このようにすることで、第一換気装置と第二換気装置との間の連動制御を簡易な構成で行うことができる。
【００１３】
また、前記第一フロアと前記第二フロアとを連通する空間に設けられた送風機をさらに備え、前記制御部は、前記基準値を超えた場合に、前記第一換気装置および前記第二換気装置の給排気運転に連動させて、前記送風機の送風運転を制御するように構成してもよい。このようにすることで、第一換気装置と第二換気装置との間の連動制御によって生じる空気の流れに加えて、送風機によって第一フロアと第二フロアとの間の空気の流れをさらに生じさせることができるので、フロア間の温度及び湿度の差をさらに低減することができる。
【００１４】
また、前記制御部は、加圧されたフロアから減圧されたフロアに向けて送風を行うよう前記送風機を制御してもよい。このようにすることで、第一換気装置と第二換気装置との間の連動制御によって生じる空気の流れに対して、送風機が発生させる空気の流れが順方向となる。そのため、第一フロアと第二フロアとの間の空気の流れをより大きくすることができるので、フロア間の温度及び湿度の差をさらに低減することができる。
【００１５】
また、前記第一換気装置及び前記第二換気装置は、給気風路と排気風路との間で熱交換を行う熱交換素子を備えた構成にしてもよい。こうした構成によれば、第一換気装置及び第二換気装置は給排気において熱の回収を行うことができるので、換気による熱エネルギーの損失を低減することができる。
【００１６】
また、前記制御部は、温度と湿度の情報に基づき快適指標の目標値を満たす目標風速を算出する目標風速算出部を備え、前記温度差及び前記湿度差が前記基準値を超えていない場合に、前記第一フロアと前記第二フロアとの間の温度平均値と前記第一フロアと前記第二フロアとの間の湿度平均値とに基づき、前記快適指標の前記目標値を満たす前記目標風速となるように前記送風機の運転を制御してもよい。このようにすることで、居宅者が快適と感じる温度と湿度と風速の組み合わせを実現することができる。
【００１７】
また、風速を測定する風速測定部を少なくともひとつ備え、前記制御部は、測定した風速の平均値と前記目標風速との間の風速差が所定の基準値を超えた場合に、前記目標風速を満たすように前記送風機の運転を制御してもよい。このようにすることで、制御部は送風機の運転出力を補正し、より確実に目標風速を達成することができる。
【００１８】
前記制御部は、前記送風機の運転が開始されてから所定時間が経過したあとに前記室内風速の測定を行うようにしてもよい。このようにすることで、風速測定部は居宅内の気流が安定した状態の風速を測定する。このため、制御部は送風機の運転出力をより正確に補正することができる。
【００１９】
前記快適指標として予測平均温冷感申告（ＰＭＶ）を用いてもよい。このようにすることで、居宅者が快適と感じる温度と湿度と風速の関係を明確に決定することができる。
【００２０】
以下、本発明の実施の形態について図面を参照しながら説明する。
【００２１】
（実施の形態１）
まず、図１〜図３を参照して、本発明の実施の形態１に係る複数の熱交換形換気装置を備えた換気システム１について説明する。図１は、本発明の実施の形態１に係る換気システムを備える住宅の模式図である。図２は、換気システムを構成する熱交換形換気装置の斜視図である。図３は、換気システムを構成する熱交換形換気装置の断面図である。
【００２２】
図１に示すように、本発明の実施の形態に係る換気システム１では、住宅用の建物１００の屋内に複数の熱交換形換気装置２が設置されている。熱交換形換気装置２は、室内の空気の排気と室外の空気の給気とを同時に行い、排気流３（室内の空気）と給気流４（室外の空気）との間で熱交換を行いながら換気を行う装置であり、新鮮な空気として排気流３と熱交換した給気流４をフロア内の各室内に供給する。具体的には、換気システム１では、１階となる第一フロア５ａに熱交換形換気装置２ａが設置され、２階となる第二フロア５ｂに熱交換形換気装置２ｂが設置されている。そして、熱交換形換気装置２ａは、主として第一フロア５ａにおいて区画された各室内を含む空間の換気を担う一方、熱交換形換気装置２ｂは、主として第二フロア５ｂにおいて区画された各室内を含む空間の換気を担うようにそれぞれ設置されている。ここで、熱交換形換気装置２ａと熱交換形換気装置２ｂとは、制御信号線８によって接続され、互いに連動した換気制御が可能となっている。なお、熱交換形換気装置２ａは、請求項の「第一換気装置」に相当し、熱交換形換気装置２ｂは請求項の「第二換気装置」に相当するものである。
【００２３】
次に、熱交換形換気装置２の詳細な構成について説明する。
【００２４】
図２に示すように、熱交換形換気装置２は、箱形の本体を有する。本体の側面には、外気吸込口９、室内空気排気口１０（室内側吸込口）、及び外気給気口１１（室内側吹出口）が設けられている。また、本体の下面には、室内空気吸込口１２が設けられている。本体は、各フロアにおける居室の天井裏等に設置される。ここで、外気給気口１１は、外気吸込口９および室内空気排気口１０が設けられた面に対向して設けられている。そして、外気吸込口９、室内空気排気口１０、及び外気給気口１１には、それぞれダクト（図１の排気用ダクト６、給気用ダクト７を参照）が接続できる形状となっている。
【００２５】
外気吸込口９は、建物外の空気（外気）を熱交換形換気装置２の内部に吸い込む吸込口である。具体的には、外気吸込口９は、建物外壁面まで延在するダクト（図１の給気用ダクト７を参照）を介して外気を吸い込む室外給気口（図示せず）と連通して接続される。
【００２６】
室内空気排気口１０は、室内の空気（内気）を熱交換形換気装置２から建物外に送風する吐出口である。具体的には、室内空気排気口１０は、建物外壁面まで延在するダクト（図１の排気用ダクト６を参照）を介して内気を吹き出す室外排気口（図示せず）と連通して接続される。
【００２７】
外気給気口１１は、外気を熱交換形換気装置２から各室内に送風する吐出口である。具体的には、外気給気口１１は、建物内の各空間の天井面または壁面まで延在するダクト（図１の給気用ダクト７を参照）を介して外気を吹き出す室内給気口（図示せず）と連通して接続される。
【００２８】
室内空気吸込口１２は、本体が設置された居室において、建物内の空気（内気）を熱交換形換気装置２の内部に吸い込む吸込口である。
【００２９】
次に、図３に示すように、熱交換形換気装置２の内部には、熱交換素子１３、制御部２０、排気送風部２４、及び給気送風部２５が設けられている。
【００３０】
給気送風部２５は、給気用ファン１６と、給気用モータ１８とを有する。給気用ファン１６は、給気用モータ１８により回転する。給気用モータ１８には、例えば、ＤＣモータ等が用いられる。
【００３１】
排気送風部２４は、排気用ファン１７と、排気用モータ１９とを有する。排気用ファン１７は、排気用モータ１９により回転する。排気用モータ１９は、給気用モータ１８と同じＤＣモータが用いられる。
【００３２】
そして、排気送風部２４と給気送風部２５とは、制御部２０によって動作が制御される。具体的には、排気送風部２４と給気送風部２５とは、制御部２０からの制御信号によって、給気用モータ１８と排気用モータ１９の回転数が制御される。これにより、排気送風部２４による排気量（排気風量）と給気送風部２５による給気量（給気風量）とがそれぞれ制御される。定常時の運転状態であれば、制御部２０は、排気送風部２４による排気量と給気送風部２５による給気量とは同じ割合に制御するが、フロア間で温度差及び湿度差のうち少なくとも一方が所定の値を超えた場合には、排気量に対する給気量の割合または給気量に対する排気量の割合を増減させるように制御する。詳細は後述する。
【００３３】
また、熱交換形換気装置２は、給気風路１４および排気風路１５を有する。
【００３４】
給気風路１４は、給気流４（図１参照）が流通する風路である。給気風路１４において、熱交換形換気装置２に取り込まれた室外の空気（外気）は、熱交換素子１３を通過し排気される空気との間で熱交換が行われる。その後、室外の空気（外気）は、給気用ファン１６に吸い込まれて、外気給気口１１から給気用ダクト７（図１参照）を介して各室内に供給される。すなわち、給気風路１４は、新鮮な室外の空気（給気空気）を外気吸込口９から吸い込み、熱交換形換気装置２の内部の熱交換素子１３を通って外気給気口１１から室内に供給する経路である。
【００３５】
排気風路１５は、排気流３（図１参照）が流通する風路である。排気風路１５において、排気される空気は、室内空気吸込口１２から本体内部に吸い込まれ、熱交換素子１３を通過し、給気される空気との間で熱交換を行い、排気用ファン１７に吸い込まれる。排気用ファン１７に吸い込まれた空気は、室内空気排気口１０から排気用ダクト６（図１参照）を介して建物外に排出される。すなわち、排気風路１５は、汚れた室内の空気（排気空気）を室内空気吸込口１２から吸い込み、熱交換素子１３を通って室内空気排気口１０から室外に排気する経路である。
【００３６】
熱交換素子１３は、排気される空気の熱量を給気される空気に供給する、または、給気される空気の熱量を排気される空気の熱量に供給する、熱回収の機能を有している。熱交換素子１３は、給気風路１４と排気風路１５とが交差する位置に配設される。なお、熱交換形換気装置２は、排気される空気が熱交換素子１３を通らないバイパス排気風路をさらに備え、熱交換素子１３を通る排気風路（熱交排気風路）とバイパス排気風路とを切り替え可能に構成してもよい。この場合、熱交排気風路とバイパス排気風路との切り替えは、ダンパ（図示せず）により行われる。
【００３７】
制御部２０は、排気送風部２４および給気送風部２５の動作を制御する。具体的には、制御部２０は、排気用モータ１９の回転数および給気用モータ１８の回転数を制御する。これにより、制御部２０は、熱交換形換気装置２の給気量および排気量をそれぞれ制御する。詳細は後述する。
【００３８】
また、図３に示すように、熱交換形換気装置２は、室内側給気温度センサ２１と、室内側排気温度センサ２２と、室内側排気湿度センサ２３とを備える。室内側給気温度センサ２１は、給気風路１４に設けられ、熱交換形換気装置２の外気給気口１１から吹き出される空気（ＳＡ：Ｓｕｐｐｌｙ  Ａｉｒ）の温度を検知するセンサである。室内側排気温度センサ２２は、排気風路１５に設けられ、熱交換形換気装置２の室内空気吸込口１２から吸い込まれる空気（ＲＡ：Ｒｅｔｕｒｎ  Ａｉｒ）の温度を検知するセンサである。室内側排気湿度センサ２３は、排気風路１５に設けられ、熱交換形換気装置２の室内空気吸込口１２から吸い込まれる空気（ＲＡ）の湿度を検知するセンサである。なお、室内側排気温度センサ２２と室内側排気湿度センサ２３とは、別体のセンサではなく一体化した温湿度センサであってもよい。そして、室内側給気温度センサ２１と、室内側排気温度センサ２２と、室内側排気湿度センサ２３とは、制御部２０に対して取得したそれぞれの情報を出力する。
【００３９】
そして、熱交換形換気装置２は、各フロアにおいて、検出した温度及び湿度に関する情報に基づいて、室内の空気の排気と室外の空気の給気とを同時に行い、室内の空気（内気）と室外の空気（外気）との間で熱交換を行いながら換気を行う。
【００４０】
次に、図４を参照して、熱交換形換気装置２ａの制御部２０について説明する。図４は、熱交換形換気装置における制御部の構成を示すブロック図である。なお、以下の説明では、第一フロア５ａに設置された熱交換形換気装置２ａを主とし、第二フロア５ｂに設置された熱交換形換気装置２ｂを従として説明するが、主従関係を逆にして制御してもよい。熱交換形換気装置２ａの制御部２０と熱交換形換気装置２ｂの制御部２０とは、基本的に同じ構成と機能を有しており、同じ換気制御を実行する。なお、換気システム内に、熱交換形換気装置２ａの制御部２０と熱交換形換気装置２ｂの制御部２０との両方を制御する統合制御部を設けて制御するようにしてもよい。
【００４１】
図４に示すように、熱交換形換気装置２ａの制御部２０は、入力部２０ａと、記憶部２０ｂと、計時部２０ｃと、処理部２０ｄと、出力部２０ｅとを備える。
【００４２】
入力部２０ａは、操作部２６からの運転開始指示または運転停止指示に関する第一情報と、室内側給気温度センサ２１からの室外空気の温度に関する第二情報と、室内側排気温度センサ２２および室内側排気湿度センサ２３からの室内空気の温度と湿度に関する第三情報とを受け付ける。また、入力部２０ａは、熱交換形換気装置２ｂからの情報として、第二フロア５ｂにおける室内外の空気の温度及び湿度に関する第四情報を受け付ける。なお、第四情報は、第一フロア５ａの第二情報および第三情報に対応する情報である。入力部２０ａは、受け付けた第一情報〜第四情報を処理部２０ｄに出力する。
【００４３】
ここで、操作部２６は、ユーザが熱交換形換気装置２（熱交換形換気装置２ａ、熱交換形換気装置２ｂ）に関するユーザ入力情報（例えば、風量、吹き出し温度、等）を入力する端末（リモコン）であり、無線または有線により制御部２０と通信可能に接続されている。なお、第一情報には、ユーザ入力情報も含まれる。
【００４４】
記憶部２０ｂは、単独時（熱交換形換気装置２ｂとの非連動時）の換気動作における換気設定に関する第五情報と、熱交換形換気装置２ｂとの連動時の換気動作における換気設定に関する第六情報と、ユーザ入力情報に対応する設定情報に関する第七情報とを記憶する。記憶部２０ｂは、記憶した第五情報〜第七情報を処理部２０ｄに出力する。
【００４５】
計時部２０ｃは、現在時刻に関する第八情報を処理部２０ｄに出力する。
【００４６】
処理部２０ｄは、入力部２０ａからの第一情報〜第四情報と、記憶部２０ｂからの第五情報〜第七情報と、計時部２０ｃからの第八情報とを受け付ける。処理部２０ｄは、受け付けた第一情報〜第八情報を用いて、単独時の換気設定に基づく換気動作あるいは熱交換形換気装置２ｂとの連動時の換気設定に基づく換気動作に関する制御情報を特定する。具体的には、第一フロア５ａと第二フロア５ｂとの間の温度差及び湿度差が所定の基準値（例えば、温度差で５℃、湿度差で１０％ＲＨ）を超えていない場合には、単独時の換気設定に基づく換気動作に関する制御情報を特定する。一方、第一フロア５ａと第二フロア５ｂとの間の温度差及び湿度差のうち少なくとも一方の差が所定の基準値を超えている場合には、熱交換形換気装置２ｂとの連動時の換気設定に基づく換気動作に関する制御情報を特定する。なお、単独時の換気設定に基づく換気動作に関する制御情報には、熱交換形換気装置２ｂと連動しない換気動作を行う非連動情報も含まれている。処理部２０ｄは、特定した制御情報を出力部２０ｅに出力する。
【００４７】
出力部２０ｅは、処理部２０ｄからの制御情報を受け付ける。出力部２０ｅは、熱交換形換気装置２ｂ（熱交換形換気装置２ｂの制御部２０）と、排気送風部２４と、給気送風部２５と電気的に接続される。そして、出力部２０ｅは、受け付けた制御情報に基づいて、単独時の換気動作あるいは熱交換形換気装置２ｂとの連動時の換気動作を制御する信号（制御信号）を出力する。具体的には、第一フロア５ａと第二フロア５ｂとの間の温度差及び湿度差が所定の基準値を超えていない場合には、単独時の換気動作を制御する信号を出力する。一方、第一フロア５ａと第二フロア５ｂとの間の温度差及び湿度差のうち少なくとも一方が所定の基準値を超えている場合には、熱交換形換気装置２ｂとの連動時の換気動作を制御する信号を出力する。
【００４８】
排気送風部２４および給気送風部２５は、出力部２０ｅからの信号をそれぞれ受け付け、受け付けた信号に基づいてそれぞれの制御を実行する。
【００４９】
また、熱交換形換気装置２ｂは、出力部２０ｅからの信号を受け付け、熱交換形換気装置２ｂの制御部２０は、受け付けた信号に基づいて熱交換形換気装置２ｂの排気送風部２４および給気送風部２５の制御を実行する。具体的には、第一フロア５ａと第二フロア５ｂとの間の温度差及び湿度差が所定の基準値を超えていない場合には、熱交換形換気装置２ｂは、熱交換形換気装置２ｂの各センサ（室内側給気温度センサ２１、室内側排気温度センサ２２、室内側排気湿度センサ２３）からの室内外の温度及び湿度に関する情報に基づいて、熱交換形換気装置２ｂの排気送風部２４および給気送風部２５の制御を実行する。一方、第一フロア５ａと第二フロア５ｂとの間の温度差及び湿度差のうち少なくとも一方が所定の基準値を超えている場合には、熱交換形換気装置２ｂは、熱交換形換気装置２ａから受け付けた信号に基づいて、熱交換形換気装置２ｂの排気送風部２４および給気送風部２５の制御を実行する。
【００５０】
以上のようにして、制御部２０は、単独時における換気動作の制御および熱交換形換気装置２ｂとの連動時の換気動作の制御をそれぞれ実行させる。
【００５１】
次に、熱交換形換気装置２の各換気動作（単独時、連動時）について説明する。
【００５２】
単独時における換気動作の場合、熱交換形換気装置２のそれぞれ（熱交換形換気装置２ａ、熱交換形換気装置２ｂ）は、排気送風部２４による排気風量（排気量）と給気送風部２５による給気風量（給気量）とを同じ割合に制御している。つまり、換気動作時の排気風量がＸ［ｍ３／ｈ］の場合には、給気風量はＸ［ｍ３／ｈ］に設定される。そして、熱交換形換気装置２は、各フロアの室内の空気の温度及び湿度（排気流３の温度及び湿度）を反映した換気制御を行う。
【００５３】
一方、連動時の換気動作の場合、熱交換形換気装置２ａと熱交換形換気装置２ｂの一方の装置は、排気送風部２４による排気風量に対する給気送風部２５による給気風量の割合の増加に対応させて、熱交換形換気装置２ａと熱交換形換気装置２ｂの他方の装置は、給気送風部２５による給気風量に対する排気送風部２４による排気風量の割合を増加させる制御を行っている。これにより、熱交換形換気装置２ａ（または熱交換形換気装置２ｂ）の排気量に対する給気量の割合を増加させることにより第一フロア５ａ（または第二フロア５ｂ）が加圧状態となるとともに、熱交換形換気装置２ｂ（または熱交換形換気装置２ａ）の給気量に対する排気量の割合を増加させることにより第二フロア５ｂ（または第一フロア５ａ）が減圧状態となる。加圧状態の第一フロア５ａ（または第二フロア５ｂ）から減圧状態の第二フロア５ｂ（または第一フロア５ａ）への空気の流れを生じさせることができる。そして、熱交換形換気装置２ｂ（または熱交換形換気装置２ａ）は、流れ込んできた空気を含む室内の空気の温度及び湿度（排気流３の温度及び湿度）を反映した換気制御を行う。
【００５４】
ここで、排気送風部２４による排気風量に対する給気送風部２５による給気風量の割合を増加させるには、ａ）給気風量をＸ＋ａ［ｍ３／ｈ］に増加させる、ｂ）排気風量をＸ−ａ［ｍ３／ｈ］に減少させる、ｃ）給気風量の増加と排気風量の減少とを組み合わせる、等の方法がある。一方、給気送風部２５による給気風量に対する排気送風部２４による排気風量の割合を増加させるには、ａ）排気風量をＸ＋ａ［ｍ３／ｈ］に増加させる、ｂ）給気風量をＸ−ａ［ｍ３／ｈ］に減少させる、ｃ）排気風量の増加と給気風量の減少とを組み合わせる、等の方法がある。
【００５５】
本実施の形態に係る換気システム１では、例えば、熱交換形換気装置２ｂの給気風量をＸ＋ａ［ｍ３／ｈ］とし、熱交換形換気装置２ａの給気風量をＸ−ａ［ｍ３／ｈ］に設定している。給気風量の増減を同じａ［ｍ３／ｈ］とすることで、住宅建物の全給気量は増減前後で一定としている。また、熱交換形換気装置２ａの排気風量と熱交換形換気装置２ｂの排気風量は、Ｘ［ｍ３／ｈ］のままである。これにより、熱交換形換気装置２ｂの排気風量に対する給気風量の割合を増加させるとともに、熱交換形換気装置２ａの給気風量に対する排気風量の割合を増加させている。この結果、住宅建物の全換気量（熱交換形換気装置２ａの換気量と熱交換形換気装置２ｂの換気量の合計）を一定とした状態で、第二フロア５ｂから第一フロア５ａへの空気の流れを生じさせることができる。なお、熱交換形換気装置２ｂの給気風量をＸ＋ａ［ｍ３／ｈ］とし、熱交換形換気装置２ａの排気風量をＸ＋ａ［ｍ３／ｈ］に設定する場合には、第二フロア５ｂから第一フロア５ａへの空気の流れをさらに強く生じさせることができる。また、熱交換形換気装置２ａの給気風量をＸ＋ａ［ｍ３／ｈ］とし、熱交換形換気装置２ｂの給気風量をＸ−ａ［ｍ３／ｈ］に設定する場合には、第一フロア５ａから第二フロア５ｂへの空気の流れを生じさせることができる。
【００５６】
次に、図５を参照して、換気システム１における熱交換形換気装置２の換気動作についてさらに詳細に説明する。図５は、熱交換形換気装置における換気動作手順を示すフローチャートである。
【００５７】
熱交換形換気装置２ａの制御部２０は、操作部２６からの運転開始に関する制御信号が入力されると、図５に示すように、まず、制御部２０は、熱交換形換気装置２ａの排気送風部２４および給気送風部２５を単独設定で作動させ、第一フロア５ａの換気を開始させる（ステップＳ０１）。なお、熱交換形換気装置２ｂも単独設定で作動し、第二フロア５ｂの換気を実行している。そして、制御部２０は、各センサからの第二情報（室外の空気の温度）および第三情報（室内の空気の温度及び湿度）と、熱交換形換気装置２ｂの各センサからの第四情報（第二フロア５ｂにおける室外の空気の温度、室内の空気の温度及び湿度）とに基づいて、フロア間（第一フロア５ａと第二フロア５ｂとの間）の温度及び湿度の差が基準値を超えているか否かを判断する（ステップＳ０２）。その結果、フロア間の温度及び湿度の差が基準値を超えていない場合（ステップＳ０２のＮｏ）には、制御部２０は、引き続き、熱交換形換気装置２の運転停止に関する制御信号が入力されているか否かを判断する（ステップＳ０３）その結果、換気動作の運転停止に関する制御信号が入力されていない場合（ステップＳ０３のＮｏ）には、制御部２０は、熱交換形換気装置２ａの排気送風部２４および給気送風部２５を単独設定で作動させる状態を継続させ、ステップＳ０２に戻る。一方、換気動作の運転停止に関する制御信号が入力された場合（ステップＳ０３のＹｅｓ）には、制御部２０は、熱交換形換気装置２ａの排気送風部２４および給気送風部２５を停止させる（ステップＳ０４）。そして、制御部２０は、熱交換形換気装置２ａの換気運転を終了させる。これにより、熱交換形換気装置２ａは、操作部２６からの運転開始指示待ちの状態となる。なお、熱交換形換気装置２ｂも同様の状態となる。
【００５８】
一方、フロア間の温度差及び湿度差のうち少なくとも一方が基準値を超えた場合（ステップＳ０２のＹｅｓ）には、温度差及び湿度差のうち少なくとも一方が基準値を超えた状態が所定時間継続したか否かの判定を行う（ステップＳ０５）。具体的には、温度及び湿度の差を繰り返し検出し、ステップＳ０２において最初に基準値を超えた時点を開始時間として計時される時間が所定時間（第一時間Ｔ）を経過したか否かで判定する。その結果、第一時間Ｔが経過していない場合（ステップＳ０５のＮｏ）には、制御部２０は、引き続き、フロア間の温度差及び湿度差のうち少なくとも一方が基準値を超えているか否かの判断を継続する（ステップＳ０２に戻る）。一方、第一時間Ｔが経過した場合（ステップＳ０５のＹｅｓ）には、制御部２０は、熱交換形換気装置２ａの排気送風部２４および給気送風部２５を連動設定で作動させ、第一フロア５ａの連動換気を開始させるとともに、熱交換形換気装置２ｂの排気送風部２４および給気送風部２５を連動設定で作動させ、第二フロア５ｂの連動換気を開始させる。
【００５９】
そして、連動換気の動作中に、制御部２０は、熱交換形換気装置２の運転停止に関する制御信号が入力されているか否かを判断する（ステップＳ０７）。その結果、換気動作の運転停止に関する制御信号が入力されていない場合（ステップＳ０７のＮｏ）には、制御部２０は、熱交換形換気装置２（熱交換形換気装置２ａ、熱交換形換気装置２ｂ）の排気送風部２４および給気送風部２５を連動設定で作動させた状態を継続させ、ステップＳ０２に戻る。一方、換気動作の運転停止に関する制御信号が入力された場合（ステップＳ０７のＹｅｓ）には、制御部２０は、熱交換形換気装置２ａの排気送風部２４および給気送風部２５を停止させる（ステップＳ０８）。そして、制御部２０は、熱交換形換気装置２ａの換気運転を終了させる。これにより、熱交換形換気装置２ａは、操作部２６からの運転開始指示待ちの状態となる。なお、熱交換形換気装置２ｂも同様の状態となる。
【００６０】
以上のようにして、換気システム１では、複数の熱交換形換気装置の単独時における換気動作の制御と、複数の熱交換形換気装置の連動時の換気動作の制御が実行される。
【００６１】
以上、本実施の形態１に係る換気システム１によれば、以下の効果を享受することができる。
【００６２】
（１）本実施の形態に係る換気システム１では、フロア間の温度差及び湿度差のうち少なくとも一方が基準値を超えた場合に、熱交換形換気装置２ａと熱交換形換気装置２ｂの一方の装置は、排気送風部２４による排気風量に対する給気送風部２５による給気風量の割合を増加させるとともに、熱交換形換気装置２ａと熱交換形換気装置２ｂの他方の装置は、給気送風部２５による給気風量に対する排気送風部２４による排気風量の割合を増加させている。これにより、熱交換形換気装置２ａ（または熱交換形換気装置２ｂ）の排気量に対する給気量の割合を増加させることにより第一フロア５ａ（または第二フロア５ｂ）が加圧状態となるとともに、熱交換形換気装置２ｂ（または熱交換形換気装置２ａ）の給気量に対する排気量の割合を増加させることにより第二フロア５ｂ（または第一フロア５ａ）が減圧状態となる。加圧状態の第一フロア５ａ（または第二フロア５ｂ）から減圧状態の第二フロア５ｂ（または第一フロア５ａ）への空気の流れを生じさせることができる。そして、熱交換形換気装置２ｂ（または熱交換形換気装置２ａ）は、流れ込んできた空気を含む室内の空気の温度及び湿度（排気流３の温度及び湿度）を反映した換気制御を行うことになる。つまり、住宅建物の各フロアに設置された熱交換形換気装置２を用いて、フロア間の温度及び湿度の差を低減することが可能な換気システム１とすることができる。
【００６３】
（２）本実施の形態に係る換気システム１では、制御部２０は、フロア間の温度及び湿度の差が基準値を超えた場合に、熱交換形換気装置２ａと熱交換形換気装置２ｂの一方の装置は、排気送風部２４による排気風量に対する給気送風部２５による給気風量の割合の増加に対応させて、熱交換形換気装置２ａと熱交換形換気装置２ｂの他方の装置は、給気送風部２５による給気風量に対する排気送風部２４による排気風量の割合を増加させる制御を行っている。これにより、熱交換形換気装置２ａの換気量と熱交換形換気装置２ｂの換気量とを合わせた全換気量を一定とした状態（必要換気量を確保した状態）で、フロア間の温度及び湿度の差を低減することができる。
【００６４】
（３）本実施の形態に係る換気システム１では、制御部２０は、フロア間の温度及び湿度の差が基準値を超えていない場合に、熱交換形換気装置２ａの換気運転と熱交換形換気装置２ｂの換気運転とを独立して制御している。これにより、各熱交換形換気装置によってフロアごとの換気を効率よく行うことができる。
【００６５】
（４）本実施の形態に係る換気システム１では、制御部２０は、熱交換形換気装置２ａと熱交換形換気装置２ｂの一方の装置に設けられ、熱交換形換気装置２ａと熱交換形換気装置２ｂの他方の装置の換気運転は、熱交換形換気装置２ａと熱交換形換気装置２ｂの一方の装置からの制御信号に基づいて制御される構成とすることが好ましい。より詳細には、制御部２０は、熱交換形換気装置２ａに設けられ、熱交換形換気装置２ｂの換気運転は、熱交換形換気装置２ａからの制御信号に基づいて制御する構成とした。これにより、熱交換形換気装置２ａと熱交換形換気装置２ｂとの間の連動制御を簡易な構成で行うことができる。
【００６６】
（実施の形態２）
本発明の実施の形態２に係る換気システム１ａについて図６を参照して説明する。図６は、本発明の実施の形態２に係る換気システムを備える住宅の模式図である。
【００６７】
本発明の実施の形態２に係る換気システム１ａは、第一フロア５ａと第二フロア５ｂとを連通する空間の天井に対して天井扇２７が設置されている点で実施の形態１と異なる。これ以外の換気システム１ａの構成は、実施の形態１に係る換気システム１と同様である。以下、実施の形態１で説明済みの内容は再度の説明を適宜省略し、実施の形態１と異なる点を主に説明する。
【００６８】
図６に示すように、本発明の実施の形態２に係る換気システム１ａは、第一フロア５ａを喚起する熱交換形換気装置２ａと、第二フロア５ｂを換気する熱交換形換気装置２ｂと、第一フロア５ａと第二フロア５ｂとを連通する空間の天井において送風を行う天井扇２７とを有している。そして、熱交換形換気装置２ａと熱交換形換気装置２ｂとは、実施の形態１と同じく、フロア間の温度差及び湿度差のうち少なくとも一方が基準値を超えた場合に、連動動作によって換気を行うように構成されている。
【００６９】
天井扇２７には、一般的なシーリングファンなどの送風機が採用される。天井扇２７は、第一フロア５ａと第二フロア５ｂとを連通する空間（吹き抜け空間）の天井面に設置される。そして、天井扇２７は、天井面側から床面側に向かって気流を吹き降ろす第一送風モードと、床面側から天井面側に気流を吹き上げる第二送風モードとを切り替え可能に構成されている。なお、天井扇２７は、熱交換形換気装置２と制御信号線８ａによって接続され、熱交換形換気装置２の換気動作に連動した送風制御が可能となっている。
【００７０】
次に、換気システム１ａにおける連動時の換気動作について説明する。
【００７１】
換気システム１では、熱交換形換気装置２ａの制御部２０は、フロア間の温度差及び湿度差のうちいずれか一方が基準値を超えた場合に、熱交換形換気装置２ｂの排気風量に対する給気風量の割合を増加させるとともに、熱交換形換気装置２ａの給気風量に対する排気風量の割合を増加させることにより、第二フロア５ｂから第一フロア５ａへの空気の流れを生じさせていた。これに対して、換気システム１ａでは、制御部２０は、こうした熱交換形換気装置２の連動換気にさらに連動させて、天井扇２７を第一送風モードにて送風するように制御している。
【００７２】
なお、制御部２０は、第一フロア５ａから第二フロア５ｂへの空気の流れを生じさせている場合には、天井扇２７を第二送風モードに切り替えて送風するように制御する。
【００７３】
以上、本実施の形態２に係る換気システム１ａによれば、以下の効果を享受することができる。
【００７４】
（５）本実施の形態２に係る換気システム１ａでは、第一フロア５ａと第二フロア５ｂとを連通する空間の天井に設けられた天井扇２７をさらに備え、制御部２０は、フロア間の温度差及び湿度差のうち少なくとも一方が基準値を超えた場合に、熱交換形換気装置２ａおよび熱交換形換気装置２ｂの換気運転に連動させて、天井扇２７の送風運転を制御するように構成にした。これにより、熱交換形換気装置２ａと熱交換形換気装置２ｂとの間の連動制御によって生じる空気の流れに加えて、天井扇２７によって第一フロア５ａと第二フロア５ｂとの間の空気の流れをさらに生じさせることができるので、フロア間の温度及び湿度の差をさらに低減することができる。
【００７５】
（実施の形態３）
本発明の実施の形態３に係る換気システム１ｂについて図７および図８を参照して説明する。図７は、本発明の実施の形態３に係る換気システムを備える住宅の模式図であり、図８は、実施の形態３に係る制御部の構成を示すブロック図である。
【００７６】
本発明の実施の形態３に係る換気システム１ｂは、制御部２０に温度と湿度の情報に基づき快適指標の目標値を満たす目標風速を算出する目標風速算出部２０ｆを備えている点で実施の形態２と異なる。これ以外の換気システム１ｂの構成は、実施の形態２に係る換気システム１ａと同様である。以下、実施の形態２で説明済みの内容は再度の説明を適宜省略し、実施の形態２と異なる点を主に説明する。
【００７７】
図８に示すように、熱交換形換気装置２ａの制御部２０は、処理部２０ｄのなかに目標風速算出部２０ｆを備えている。
【００７８】
入力部２０ａは室内側給気温度センサ２１からの室外空気の温度に関する情報と、室内側排気温度センサ２２および室内側排気湿度センサ２３からの室内空気の温度と湿度に関する情報と、風速測定部としての風速センサ２８からの室内風速に関する情報とを受け付ける。温度に関する情報とは摂氏温度（セルシウス温度）の値を指す。湿度に関する情報とは相対湿度の値を指す。室内風速に関する情報とは第一フロア５ａおよび第二フロア５ｂを循環する気流速度の値を指す（以下、室内風速と称する）。
【００７９】
目標風速算出部２０ｆは、入力部２０ａで受け付けた室内空気の温度と湿度に関する情報を基に、快適指標の目標値を満たす目標風速を算出する。本実施の形態では、快適指標として、Ｐｒｅｄｉｃｔｅｄ  Ｍｅａｎ  Ｖｏｔｅ（以下ＰＭＶと称する）を用いる。
【００８０】
ＰＭＶは、予測平均温冷感申告などと訳される。ＰＭＶは、（１）空気温度、（２）相対湿度、（３）平均放射温度、（４）気流速度、（５）活動量（人体の内部発熱量）、（６）着衣量を用いて算出される数値指標であり、次の７段階の評価数値として表される。
【００８１】
＋３：熱い
＋２：暖かい
＋１：やや暖かい
０：どちらでもない、快適
−１：やや涼しい
−２：涼しい
−３：寒い
すなわち、評価数値が０に近いほど不快に感じる人の割合が少ないと予測され、符号が正であると暑いと感じると予測され、負であると寒いと感じると予測される。なお、人間が快適と感じる範囲は―０．５〜＋０．５とされる。本実施の形態では、ＰＭＶの目標値は０とする。
【００８２】
（１）空気温度、（２）相対湿度、（３）平均放射温度、（５）活動量、（６）着衣量の値が決まれば、目標とするＰＭＶの評価数値に対応した（４）気流速度を算出することができる。
【００８３】
本実施の形態では、冬季、夏季、中間期などいくつかのパターンに合わせて（３）平均放射温度、（５）活動量、（６）着衣量の数値を定数として記憶部２０ｂに予め入力しておく。そして、室内空気の温度と湿度に関する情報からＰＭＶの目標値を満たす目標風速を算出し、その情報を受け取った出力部２０ｅが天井扇２７の運転出力を調節する。
【００８４】
図７に示すように風速センサ２８は、天井扇２７の運転により発生する室内風速を測定するために、たとえば第一フロア５ａの床面や壁面に設置されている。風速センサ２８は有線または無線により入力部２０ａに接続され、処理部２０ｄは入力部２０ａで受け取った室内風速と、ＰＭＶに基づく目標風速とを比較する。そして、室内風速が目標風速より大きければ天井扇２７の運転出力を小さくし、室内風速が目標風速より小さければ天井扇２７の運転出力を大きくすることで、容易に目標風速を満たすように調節することが可能となる。
【００８５】
次に、図９を参照して、換気システム１ｂにおける天井扇２７の動作についてさらに詳細に説明する。図９は、天井扇連動動作における動作手順を示すフローチャートである。
【００８６】
制御部２０は、操作部２６から天井扇２７の運転開始の制御信号が入力されると、天井扇２７を単独設定で作動を開始させる（ステップＳ１１）。このとき、天井扇２７の出力（消費電力）をＷ０＝Ｗ１とする。
【００８７】
次に制御部２０はフロア間の温度差及び湿度差が所定の基準値（たとえば、温度差５℃、相対湿度差１０％ＲＨ）を超えていないかを判定する。温度差及び湿度差のうち少なくとも一方が所定の基準値を超えている場合には、ステップＳ１１へ戻り天井扇２７は単独設定での運転を継続する。
【００８８】
フロア間の温度差及び湿度差が所定の基準値を超えていない場合には、目標風速算出部２０ｆが第一フロア５ａ及び第二フロア５ｂの温度と湿度に関する情報を基に、温度平均値と相対湿度平均値（たとえば、第一フロア５ａの温度２８℃、相対湿度６０％ＲＨであり、第二フロア５ｂの温度２６℃、相対湿度５６％ＲＨであれば、温度平均値は２７℃、相対湿度平均値は５８％ＲＨとなる）を導き、ＰＭＶによる快適性指標の目標値（本実施の形態では０）を満たす目標風速Ｖを算出する（ステップＳ１３）。
【００８９】
つぎに、制御部２０は天井扇２７の運転が開始されてから所定時間ｔ１（たとえば５分間）が経過したかの判定を行う。これは、第一フロア５ａおよび５ｂを循環する天井扇２７の気流が安定するのを待つことが目的である。気流が安定することで、風速センサ２８は第一フロア５ａおよび第二フロア５ｂを循環する気流風速を精度よく測定することができる。なお、天井扇２７の運転出力が安定するのを待つ場合には、エージング（暖機運転）としてより長い時間（たとえば３０分間）を確保してもよい。
【００９０】
所定時間ｔ１を経過後、風速センサ２８が室内風速を測定する。本実施の形態では、第一フロア５ａの床面及び壁面の２ヶ所に風速センサ２８を設けている。風速センサ２８は室内風速を所定の時間間隔（たとえば、１秒間隔）で一定時間（たとえば、１２０秒間）測定して、その平均値を制御部２０へ出力する。処理部２０ｄは、床面及び壁面の室内風速を平均値化して風速Ｖ１を算出する（ステップＳ１５）。
【００９１】
つぎに、処理部２０ｄは目標風速Ｖと風速Ｖ１との差が所定値ΔＶ（たとえば１ｍ／ｓｅｃ）を越えているかの判定を行う（ステップＳ１６）。
【００９２】
所定値ΔＶを越えている場合、処理部２０ｄは目標風速Ｖが風速Ｖ１より大きいかを判定する（ステップＳ１９）。
【００９３】
目標風速Ｖが風速Ｖ１よりも大きい場合、制御部２０は天井扇２７の出力をＷｎ＝Ｗｎ−１＋ｂへ変更する（ステップＳ２０）。また、目標風速Ｖが風速Ｖ１よりも小さい場合、制御部２０は天井扇２７の出力をＷｎ＝Ｗｎ−１−ｂへ変更する（ステップＳ２１）。ここで、ｎは１以上の整数である。また、ｂは天井扇２７の出力の増減を調整する正数である。
【００９４】
天井扇２７の出力を変更したあと、制御部２０は所定時間ｔ２（たとえば５分間）を経過した場合、ステップＳ１５の処理へ移動する。所定時間ｔ２を設けた目的は、所定時間ｔ１を設けた目的と同じである。以降、ステップＳ１６で目標風速Ｖと風速Ｖ１の差が基準値を超える限り、ステップＳ１５、Ｓ１６、Ｓ１９、Ｓ２０（またはＳ２１）、Ｓ２２を繰り返す。ここで、初回のステップＳ２０（またはＳ２１）におけるｎはｎ＝１である。ステップＳ２０（またはＳ２１）を繰り返すたびに、ｎ＝２、３、４・・・と変更する。
【００９５】
ステップＳ１６で目標風速Ｖと風速Ｖ１との差が基準値を超えない場合、制御部２０は操作部２６から天井扇２７の運転停止の信号が入力されているか判定する（ステップＳ１７）。運転停止の信号が入力されていなければ、ステップＳ１２へ移動する。運転停止の信号が入力された場合、制御部２０は天井扇２７に対して運転停止を指示する（ステップＳ１８）。
【００９６】
以上、本実施の形態３に係る換気システム１ｂによれば、以下の効果を享受することができる。
【００９７】
本実施の形態３に係る換気システム１ｂは、温度と湿度の情報に基づき快適指標ＰＭＶの目標値を満たす目標風速を算出する目標風速算出部２０ｆを制御部２０に備え、目標風速に基づき天井扇２７の運転出力を制御するように構成した。これにより、フロア間の温度及び湿度の差を低減しながら、さらに快適性を向上することができる。
【００９８】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。例えば、上記実施の形態で挙げた数値は一例であり、他の数値を採用することは当然可能である。
【産業上の利用可能性】
【００９９】
本発明に係る換気システムは、外気と室内空気の熱交換を目的とするダクト式の熱交換気システム、ダクト式の空気調和装置などの用途としても有効である。
【符号の説明】
【０１００】
１    換気システム
１ａ    換気システム
１ｂ    換気システム
２    熱交換形換気装置
２ａ    熱交換形換気装置
２ｂ    熱交換形換気装置
３    排気流
４    給気流
５ａ    第一フロア
５ｂ    第二フロア
６    排気用ダクト
７    給気用ダクト
８    制御信号線
８ａ    制御信号線
９    外気吸込口
１０    室内空気排気口
１１    外気給気口
１２    室内空気吸込口
１３    熱交換素子
１４    給気風路
１５    排気風路
１６    給気用ファン
１７    排気用ファン
１８    給気用モータ
１９    排気用モータ
２０    制御部
２０ａ    入力部
２０ｂ    記憶部
２０ｃ    計時部
２０ｄ    処理部
２０ｅ    出力部
２０ｆ    目標風速算出部
２１    室内側給気温度センサ
２２    室内側排気温度センサ
２３    室内側排気湿度センサ
２４    排気送風部
２５    給気送風部
２６    操作部
２７    天井扇
２８    風速センサ
１００    建物
【図１】
2020193797.tif 000003
【図２】
2020193797.tif 000004
【図３】
2020193797.tif 000005
【図４】
2020193797.tif 000006
【図５】
2020193797.tif 000007
【図６】
2020193797.tif 000008
【図７】
2020193797.tif 000009
【図８】
2020193797.tif 000010
【図９】
2020193797.tif 000011